【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
光ディスクをコピープロテクトする方法であって、
記録デジタルデータのいくつかをバランスの悪いdcコンテンツに施すように構成された方法で、前記光ディスクにデジタルデータをエンコード及び記録するステップを有する方法。
【請求項２】
請求項１に記載の光ディスクをコピープロテクトする方法であって、
前記ディスクの前記記録デジタルデータの選択領域にバランスの悪いdcコンテンツを施すことを更に有する方法。
【請求項３】
請求項２に記載の光ディスクをコピープロテクトする方法であって、
バランスの悪いdcコンテンツを施される前記記録デジタルデータの前記選択領域を予め決定することを更に有する方法。
【請求項４】
請求項２に記載の光ディスクをコピープロテクトする方法であって、
バランスの悪いdcコンテンツを施される前記記録デジタルデータの前記選択領域をランダムに選択することを更に有する方法。
【請求項５】
請求項２に記載の光ディスクをコピープロテクトする方法であって、
前記記録デジタルデータの各選択領域のサイズを制限することを更に有する方法。
【請求項６】
請求項５に記載の光ディスクをコピープロテクトする方法であって、
フレームで前記デジタルデータを前記光ディスクに記録し、バランスの悪いdcコンテンツを有する各選択領域が100フレーム未満を有することを提供することを更に有する方法。
【請求項７】
請求項５に記載の光ディスクをコピープロテクトする方法であって、
それぞれ複数のフレームを有するセクタに構成されたフレームで前記デジタルデータを前記光ディスクに記録し、バランスの悪いdcコンテンツを有する各選択領域が2セクタ未満を有することを提供することを有する方法。
【請求項８】
請求項７に記載の光ディスクをコピープロテクトする方法であって、
各セクタは、98フレームを有する方法。
【請求項９】
請求項１ないし８のうちいずれか１項に記載の光ディスクをコピープロテクトする方法であって、
前記記録デジタルデータに悪いDSV特性を提供することにより、前記記録デジタルデータのいくつかをバランスの悪いdcコンテンツに施すことを更に有する方法。
【請求項１０】
請求項９に記載の光ディスクをコピープロテクトする方法であって、
前記記録デジタルデータのDSVは、急速な変化を有する方法。
【請求項１１】
請求項９又は１０に記載の光ディスクをコピープロテクトする方法であって、
前記記録デジタルデータのDSVは高い絶対値を有する方法。
【請求項１２】
請求項９ないし１１のうちいずれか１項に記載の光ディスクをコピープロテクトする方法であって、
前記記録デジタルデータのDSVは、実質的に低い周波数成分を有する方法。
【請求項１３】
請求項１ないし１２のうちいずれか１項に記載の光ディスクをコピープロテクトする方法であって、
前記光ディスクの前記記録デジタルデータは、前記デジタルデータの選択領域が悪いDSV特性を有するようにエンコードすることにより、バランスの悪いdcコンテンツを施される方法。
【請求項１４】
光ディスクに記録されたエンコード済デジタルデータを有するコピープロテクト光ディスクであって、
前記光ディスクに記録された前記デジタルデータのいくつかはバランスの悪いdcコンテンツを有するコピープロテクト光ディスク。
【請求項１５】
請求項１４に記載のコピープロテクト光ディスクであって、
前記光ディスクの前記記録デジタルデータの選択領域は、バランスの悪いdcコンテンツを有するコピープロテクト光ディスク。
【請求項１６】
請求項１５に記載のコピープロテクト光ディスクであって、
バランスの悪いdcコンテンツを有する前記記録デジタルデータの前記選択領域は、予め決定されるコピープロテクト光ディスク。
【請求項１７】
請求項１５に記載のコピープロテクト光ディスクであって、
バランスの悪いdcコンテンツを有する前記記録デジタルデータの前記選択領域は、ランダムに選択されるコピープロテクト光ディスク。
【請求項１８】
請求項１５ないし１７のうちいずれか１項に記載のコピープロテクト光ディスクであって、
各選択領域のサイズは制限されるコピープロテクト光ディスク。
【請求項１９】
請求項１８に記載のコピープロテクト光ディスクであって、
前記光ディスクに記録された前記デジタルデータがフレームで構成される場合、バランスの悪いdcコンテンツを有する各選択領域は、100フレーム未満を有するコピープロテクト光ディスク。
【請求項２０】
請求項１８に記載のコピープロテクト光ディスクであって、
前記光ディスクに記録された前記デジタルデータが、各セクタが複数のフレームを有するようにセクタで構成される場合、バランスの悪いdcコンテンツを有する各選択領域は、2セクタ未満を有するコピープロテクト光ディスク。
【請求項２１】
請求項２０に記載のコピープロテクト光ディスクであって、
各セクタは98フレームを有するコピープロテクト光ディスク。
【請求項２２】
請求項１４ないし２１のうちいずれか１項に記載のコピープロテクト光ディスクであって、
前記光ディスクに記録された前記デジタルデータのいくつかは、前記記録デジタルデータに悪いDSV特性を提供することにより、バランスの悪いdcコンテンツを施されるコピープロテクト光ディスク。
【請求項２３】
請求項２２に記載のコピープロテクト光ディスクであって、
前記記録デジタルデータのDSVは、急速な変化を有するコピープロテクト光ディスク。
【請求項２４】
請求項２２又は２３に記載のコピープロテクト光ディスクであって、
前記記録デジタルデータのDSVは、高い絶対値を有するコピープロテクト光ディスク。
【請求項２５】
請求項２２ないし２４のうちいずれか１項に記載のコピープロテクト光ディスクであって、
前記記録デジタルデータのDSVは、実質的に低い周波数成分を有するコピープロテクト光ディスク。
【請求項２６】
請求項１４ないし２５のうちいずれか１項に記載のコピープロテクト光ディスクであって、
前記光ディスクはCDであり、EFMエンコードに従うコピープロテクト光ディスク。
【請求項２７】
請求項１４ないし２５のうちいずれか１項に記載のコピープロテクト光ディスクであって、
前記光ディスクはDVDであり、EFMPlusエンコードに従うコピープロテクト光ディスク。
【請求項２８】
請求項１４ないし２７のうちいずれか１項に記載のコピープロテクト光ディスクであって、
前記光ディスクに記録された前記デジタルデータは、オーディオデータ、ビデオデータ、グラフィックデータ、ビジュアルデータ、アニメーションデータ、数値データ、プログラムデータ、制御及びアクセスデータ、及び／又はその他のデータのうち１つ以上であるコピープロテクト光ディスク。
【請求項２９】
請求項１ないし１３のうちいずれか１項に記載の方法により、デジタルデータがエンコード及びコピープロテクトされることを可能にするデータファイル。
【請求項３０】
請求項２９に記載のデータファイルであって、
実行可能なように構成されたデータファイル。
【請求項３１】
デジタルデータが光ディスクにエンコード及びコピープロテクトされた形式で記録されることを可能にするデータファイルであって、
前記データファイルは、デジタルデータの選択が特にエンコードされることを可能にし、バランスの悪いdcコンテンツを有するように前記選択されたデジタルデータのエンコードを可能にするアルゴリズムを有するデータファイル。
【請求項３２】
請求項３１に記載のデータファイルであって、
エンコード中にマージビットが選択されて連続的なチャネルビットの間に挿入されて、デジタルデータがEFMエンコードを使用してエンコードされ、
前記データファイルアルゴリズムは、前記選択されたデジタルデータに悪いDSV特性を施すようにマージビットが選択されることを可能にするデータファイル。
【請求項３３】
請求項３１に記載のデータファイルであって、
各8ビットのデータワードが4つの16ビットのチャネルワードの１つにエンコードされるEFMPlusエンコードを使用して、前記デジタルデータがエンコードされる場合、前記データファイルアルゴリズムは、前記選択されたデジタルデータに悪いDSV特性を施すように16ビットのチャネルワードが選択されることを可能にするデータファイル。
【請求項３４】
請求項３１ないし３３のうちいずれか１項に記載のデータファイルであって、
前記アルゴリズムは、前記デジタルデータの選択領域が特別のエンコードに選択されることを可能にし、各選択領域はサイズで制限されるデータファイル。
【請求項３５】
請求項３４に記載のデータファイルであって、
前記アルゴリズムは、前記デジタルデータの１つの選択領域内に含まれるフレームの数を決定するデータファイル。
【請求項３６】
請求項３５に記載のデータファイルであって、
前記１つの選択領域は、100フレーム未満を有するデータファイル。
【請求項３７】
請求項３４ないし３６のうちいずれか１項に記載のデータファイルであって、
前記アルゴリズムは、良いDSV特性を提供する前記デジタルデータの各選択領域のエンコードを決定し、所定のDSV値と良いDSV値とを比較し、前記DSV値が所定の値に近づくように各選択領域のエンコードを変更し、それによって、悪いDSV特性が各選択領域に施されるデータファイル。
【請求項３８】
請求項３１ないし３７のうちいずれか１項に記載のデータファイルであって、
実行可能なように構成されたデータファイル。